(57)【要約】【課題】受信状態についての測定に、静止状態で長時間にわたる測定が含まれる場合でも、静止状態での測定データを別途分析して抽出することを要しない電界強度測定装置を提供すること。【解決手段】所定の車両に搭載され、受信波の電界強度を測定するための測定手段１１１、１１２、１２１、１２２、および１２３と、前記車両の移動速度を計測する計測手段１４１および１４２と、前記移動速度に応じて前記測定した電界強度のデータを複数のグループに分類する制御手段１３１と、複数の前記グループに分類された前記電界強度のデータをグループ毎に記憶するデータ記憶手段１７１、１７２、１８１、および１８２とを備えた構成を有するものである。ここで、移動速度の計測は車速パルスを用いて行い、データ記憶手段には、静止状態での測定データが一括して記憶される。【選択図】　図１
2004032163.tif 000002
【特許請求の範囲】
【請求項１】
所定の車両に搭載され、受信波の電界強度を測定するための測定手段と、前記車両の移動速度を計測する計測手段と、前記移動速度に応じて前記測定した電界強度のデータを複数のグループに分類する制御手段と、複数の前記グループに分類された前記電界強度のデータをグループ毎に記憶するデータ記憶手段とを備えたことを特徴とする電界強度測定装置。
【請求項２】
前記計測手段は、前記車両の移動速度に応じて生成される車速パルスに基づいて、前記車両の移動速度を計測することを特徴とする請求項１記載の電界強度測定装置。
【請求項３】
前記グループは、少なくとも前記車両が静止した状態に対応するグループを含むことを特徴とする請求項１記載の電界強度測定装置。
【請求項４】
前記グループは、少なくとも、毎時１００ｍから毎時１０ｋｍまでの範囲内の所定速度である歩行速度に対応するグループを含むことを特徴とする請求項１ないし請求項３のいずれかに記載の電界強度測定装置。
【発明の詳細な説明】
【０００１】
【発明の属する技術分野】
本発明は、テレビ電波の電界強度測定装置に関し、特に、移動測定車を用いて計測を行う電界強度測定装置に関する。
【０００２】
【従来の技術】
近年、車両等で移動している状態でテレビを見ることが可能となってきた。そして、移動状態でテレビに映像を再生する場合、フェージングやマルチパス等により受信状態が変動することが起こることが知られている。このような受信状態の変動について測定することは、放送分野における種々の技術にとって基本的な事項であり、かつ重要な事柄である。
【０００３】
従来、このような受信状態またはその変動について測定する電界強度測定装置において、静止した状態での受信電界強度の測定や、移動受信における受信電界強度の変動の測定は、基本的に同様の構成のシステムを用いて行われ、これらの測定は連続して行われていた。
【０００４】
【発明が解決しようとする課題】
しかしながら、従来の電界強度測定装置では、通常、一定時間間隔で測定され、測定データが記録されるため、長時間静止した状態でも測定データが記録されてしまうため、受信状態またはその変動の解析等に用いる測定データは、測定後に別途分析して抽出しなければ用いることができないという問題があった。
【０００５】
本発明は、かかる問題を解決するためになされたものであり、その目的は、受信状態についての測定に、静止状態で長時間にわたる測定が含まれる場合でも、静止状態での測定データを別途分析して抽出することを要しない電界強度測定装置を提供することにある。
【０００６】
【課題を解決するための手段】
以上の点を考慮して、請求項１に係る発明は、車両に搭載され、受信波の電界強度を測定するための測定手段と、前記車両の移動速度を計測する計測手段と、前記移動速度に応じて前記測定した電界強度のデータを複数のグループに分類する制御手段と、複数の前記グループに分類された前記電界強度のデータをグループ毎に記憶するデータ記憶手段とを備えた構成を有している。
【０００７】
この構成により、車両の移動速度を計測して、移動速度に応じてデータの分類を行うため、受信状態についての測定に、静止状態で長時間にわたる測定が含まれる場合でも、静止状態での測定データを別途分析して抽出することを要しない電界強度測定装置を実現することができる。
【０００８】
また、請求項２に係る発明は、請求項１において、前記計測手段は、前記車両の移動速度に応じて生成される車速パルスに基づいて、前記車両の移動速度を計測する構成を有している。
【０００９】
この構成により、移動速度の計測が正確かつ簡易にできるため、受信電界強度のデータを正確かつ簡易に分類することができる電界強度測定装置を実現することができる。
【００１０】
また、請求項３に係る発明は、請求項１において、前記グループは、少なくとも前記車両が静止した状態に対応するグループを含む構成を有している。
【００１１】
この構成により、複数のグループの中に静止状態に対応したグループを含むため、受信状態についての測定に、静止状態で長時間にわたる測定が含まれる場合でも、確実に静止状態での測定データを別途分析して抽出することを要しない電界強度測定装置を実現することができる。
【００１２】
また、請求項４に係る発明は、請求項１ないし請求項３のいずれかにおいて、前記グループは、少なくとも、毎時１００ｍから毎時１０ｋｍまでの範囲内の所定速度である歩行速度に対応するグループを含む構成を有している。
【００１３】
この構成により、複数のグループの中に歩行速度に対応したグループを含むため、受信状態についての測定に、静止状態で長時間にわたる測定が含まれる場合でも、静止状態での測定データを別途分析して、歩行速度で測定した電界強度のデータを抽出することを要しない電界強度測定装置を実現することができる。
【００１４】
【発明の実施の形態】
以下、図面を参照して本発明の実施の形態について説明する。
図１は、本発明の一実施の形態に係る電界強度測定装置のブロック構成を示す図である。電界強度測定装置１００は、複数の受信アンテナ１１１、１１２、受信アンテナ切替手段１２１、電界強度測定手段１２２、Ａ／Ｄ変換手段１２３、制御手段１３１、車速パルス検出手段１４１、速度演算手段１４２、ＧＰＳ受信機１５１、時刻データ発生手段１５２、入力・表示手段１６１、移動用受信データ記録手段１７０、および携帯受信データ記録手段１８０を含むように構成される。
【００１５】
以下では、自動車の車速計測に用いられる電気パルス信号である「車速パルス」を用いて移動速度を計測し、測定した電界強度のデータを移動速度に応じて移動受信用測定データと携帯受信測定用データとに分類して記録する実施の形態について説明する。ここで、携帯受信とは、携帯電話やＰＤＡ（Ｐｅｒｓｏｎａｌ　ＤｉｇｉｔａｌＡｓｓｉｓｔａｎｔｓ）等の携帯端末を用いてする受信のことであり、移動受信は、自動車や列車等に備え付けられたテレビ受信機で信号を受信するものをいう。
【００１６】
受信アンテナ１１１、１１２は、いずれも電界強度測定用のアンテナであり、それぞれ、電波の電界ベクトルの水平偏波成分、垂直偏波成分の電界強度を測定するためのアンテナである。なお、本実施の形態では受信アンテナが２本の場合について説明するが、受信アンテナの本数は１本でも、３本以上でもよい。
【００１７】
また、アンテナの種類は、上記の種類に限定されるものではなく、他の種類のアンテナでも良い。例えば、代表的なアンテナとして、携帯電話機にも使われている棒状になったロッドアンテナや、自動車のリアウィンドウなどに敷設されているフィルムアンテナ、ダイポールアンテナ、携帯電話機の内部に設けられる平たいアンテナである板状アンテナなどがある。
【００１８】
受信アンテナ切替手段１２１は、受信アンテナ１１１または１１２のうちの、制御手段１３１によって指定された受信アンテナに接続を切り替え、接続された受信アンテナが受信した信号を電界強度測定手段１２２に出力させるための手段である。
【００１９】
電界強度測定手段１２２は、受信アンテナ切替手段１２１経由の受信信号を入力とし、受信信号に基づいて受信波の電界強度の値を算出し、算出された電界強度の値に応じた直流電圧のアナログ信号としてＡ／Ｄ変換手段１２３に出力する。受信信号から受信波の電界強度を算出する技術は公知であり、その説明は省略する。
【００２０】
Ａ／Ｄ変換手段１２３は、電界強度測定手段１２２によって出力された上記の直流電圧のアナログ信号を入力とし、当該直流電圧に応じたデジタル信号にＡ／Ｄ変換して制御手段１３１に出力するための手段である。
電界強度測定手段１２２は、公知技術により構成される測定器であると共に、本実施の形態では電界強度の測定結果が直流電圧のアナログ信号として出力される構成としているため、その結果を縦続接続されるＡ／Ｄ変換手段１２３でデジタル信号化して制御手段１３１に出力している。
【００２１】
電界強度測定手段１２２に、ＧＰ−ＩＢインターフェース、ＲＳ−２３２Ｃインターフェース、イーサネット（登録商標）インターフェースなどが備わっている場合は、測定結果を直接デジタル信号で出力できるため、Ａ／Ｄ変換手段１２３を省略することができる。
車速パルス検出手段１４１は、ハーネスを介して伝送される車速パルスを検出して車速演算手段１４２に出力する手段である。
【００２２】
車速演算手段１４２は、車速パルス検出手段１４１によって入力された車速パルスに基づいて移動速度に関する情報を生成し、制御手段１３１に出力するための手段である。
ＧＰＳ受信機１５１は、制御手段１３１の制御の下、人工衛星から送信される位置情報等を受信して測定車の緯度・経度等の位置情報を算出し、算出した緯度・経度等の位置情報を制御手段１３１に出力するための手段である。
【００２３】
時刻データ発生手段１５２は、時刻の情報を生成するための手段であり、上記の電界強度の測定時刻の情報を生成して制御手段１３１に出力する。
入力・表示手段１６１は、当該システムを動作させるために必要な情報を入力させ、操作及び装置の設定状態に関する情報を表示する手段である。入力・表示手段１６１を介して例えば、測定チャンネルの情報や、電界強度の測定の用いる受信アンテナに関する情報が入力される。
【００２４】
又、入力・表示手段１６１は、測定結果の表示その他の操作ボタンの表示、その他の表示をすることができるものであっても良い。
上記の時刻データ発生手段１５２と入力・表示手段１６１は、パーソナルコンピュータを用いて実現できるが、これに限定するものではない。
【００２５】
制御手段１３１は、上記の受信アンテナ切替手段１２１、電界強度測定手段１２２、ＧＰＳ受信機１５１、入力・表示手段１６１、移動用受信データ記録手段１７０、および携帯受信データ記録手段１８０を制御する手段である。制御手段１３１は、また、Ａ／Ｄ変換手段１２３によって出力されたデータを、速度演算手段１４２によって出力された車速の情報に基づいて分類し、後述する方法によって移動受信データ記録手段１７０または携帯受信データ記録手段１８０に出力する。
【００２６】
移動受信データ記録手段１７０は、さらに、一定時間間隔データ記録手段１７１及び一定距離間隔データ記録手段１７２を含むように構成され、制御部１３１によって出力された電界強度の測定データ、測定車の緯度・経度等の位置情報および測定時刻の情報を含む情報を記録するための手段である。ここで、移動受信データ記録手段１７０は、例えばハードディスクやメモリカード等の記憶媒体で構成することができる。
【００２７】
一定時間間隔データ記録手段１７１は、一定時間間隔で測定した電界強度の測定データ、測定車の緯度・経度等の位置情報および測定時刻の情報を含む情報を記録するための手段である。
同様に、一定距離間隔データ記録手段１７２は、一定距離間隔で測定した電界強度の測定データ、測定車の緯度・経度等の位置情報および測定時刻の情報を含む情報を記録するための手段である。
【００２８】
携帯受信データ記録手段１８０は、さらに歩行速度状態データ記録手段１８１及び完全停止状態データ記録手段１８２を含むように構成され、制御部１３１によって出力された電界強度の測定データ、測定車の緯度・経度等の位置情報および測定時刻の情報を含む情報を記録するための手段である。ここで、携帯受信データ記録手段１８０は、例えばハードディスクやメモリカード等の記憶媒体で構成することができる。
【００２９】
歩行速度状態データ記録手段１８１は、歩行速度程度で移動している場合に測定した電界強度の測定データ、測定車の緯度・経度等の位置情報および測定時刻の情報を含む情報を記録するための手段である。
同様に、完全停止状態データ記録手段１８２は、完全停止状態で測定した電界強度の測定データ、測定車の緯度・経度等の位置情報および測定時刻の情報を含む情報を記録するための手段である。
【００３０】
次に、受信電界の分布や変動等を測定する際の各部の動作と信号の流れについて説明する。
初めに、移動受信、すなわち、自動車や列車等の車両に備え付けられたテレビ受信機等でする信号の受信について説明する。ただし、言うまでもなく移動受信と携帯受信との区別は、受信機の種別であり、移動速度の別を問題とするものではない。
【００３１】
また、テレビ番組等を移動受信することや、フェージング、マルチパス等への対処等の観点から、受信信号には複数のチャンネルの信号が多重化された信号が含まれる場合もある。以下では、測定対象のチャンネルを指定し、そのチャンネル（以下、測定チャンネルという。）毎に電界強度を測定するものとする。
【００３２】
初めに、入力・表示手段１６１を介して測定チャンネルに関する情報が入力され、測定開始の入力がされると、以下に述べる測定のための処理が開始される。
制御手段１３１は、速度演算手段１４２によって計測される速度が、例えば、５ｋｍ／ｈになった場合についてのみ、電界強度を測定し、記録するように各部を制御する。言うまでもないことであるが、上記の速度は、５ｋｍ／ｈである必要はなく、他の値でもよい。
【００３３】
制御手段１３１は、入力・表示手段１６１を介して入力された測定チャンネルに応じて、測定に用いる受信アンテナを選択し、受信アンテナ切替手段１２１に選択したアンテナに切り替える指示の信号を出力する。ここでは、選択されたアンテナを垂直偏波用の受信アンテナ１１２とするが、これに限定するものではない。
【００３４】
受信アンテナ切替手段１２１は、制御手段１３１によって出力された切り替え指示の信号に応答して、受信アンテナ１１２で受信した信号を電界強度測定手段１２２に出力するように、信号線路の接続を切り替える。
電界強度測定手段１２２は、受信アンテナ切替手段１２１によって出力された受信信号から目的の測定チャンネルの信号を抽出し、抽出された信号の電界強度を測定する。
【００３５】
電界強度測定手段１２２が計測した測定チャンネルの電界強度の値は、電界強度に応じた直流電圧のアナログ信号として出力され、Ａ／Ｄ変換手段１２３によってデジタル信号に変換されて制御手段１３１に出力される。
本実施の形態においては、移動受信データの記録方法として、一定時間間隔で計測して得られたデータを記録する方法と、一定距離間隔で計測して得られたデータを記録する方法とを有するものとする。以下、前者の計測を一定時間間隔計測といい、後者の計測を一定距離間隔計測という。
【００３６】
一定時間間隔計測の場合、制御手段１３１は、時刻データ発生手段１５２によって出力される時刻を基準に、例えば１秒間隔で、電界強度の測定データと測定時刻（日時）のデータ、ＧＰＳ受信機１５１によって生成された緯度・経度等の位置情報、速度演算手段１４２によって生成された移動速度の情報、測定チャンネルの情報、使用した受信アンテナのデータを一定時間間隔データ記録手段１７１に記録する。
【００３７】
又、一定距離間隔計測の場合、制御手段１３１は、速度演算手段１４２によって生成された移動速度の情報と時刻データ発生手段１５２によって生成された測定時刻の情報とから、移動距離を計算し、例えば１００ｍ間隔で、電界強度の測定データと測定時刻（日時）のデータ、ＧＰＳ受信機１５１によって生成された緯度・経度等の位置情報、速度演算手段１４２によって生成された移動速度の情報、測定距離間隔の情報、測定チャンネルの情報、使用した受信アンテナのデータを一定距離間隔データ記録手段１７２に記録する。
【００３８】
また、上記の動作を確保するために制御手段１３１は、一定時間間隔または一定距離間隔で電界強度を測定するよう電界強度測定手段１２２の測定タイミングを制御する。
【００３９】
次に、携帯受信、すなわち、携帯端末を用いてする受信の場合における、測定および記録の動作について説明する。
携帯受信については、静止した状態で電界強度分布を測定するほか、歩行速度程度で移動した状態で電界強度分布を測定するのを対象とするのでも良い。また、静止した状態では移動受信での測定のように、一定距離間隔で測定する必要がないので、複数の受信アンテナを切り替えて測定するのでもよい。
【００４０】
以上の点から、本実施の形態では、静止した状態または歩行速度程度での移動状態毎に、測定した電界強度分布の測定データを記録することができる構成について説明する。ここで、歩行速度として、例えば、１００ｍ／ｈから１０ｋｍ／ｈの範囲内の速度とするのでも良い。
【００４１】
歩行速度で移動中の受信状態に関する測定については、移動速度が、例えば５ｋｍ／ｈ未満になった場合を対象とすること、および、データを歩行速度状態データ記録手段１８１に記録することを除き、上記の一定時間間隔計測における動作及び記録内容は同じであるため、その説明は省略する。
【００４２】
静止状態で、制御手段１３１は、電界強度測定用の受信アンテナを例えば受信アンテナ１１１（または１１２）に切り替える指示の信号を受信アンテナ切替手段１２１に出力する。受信アンテナ切替手段１２１は、受信アンテナの接続切替を行い、電界強度測定器１２２は、上記の移動受信における測定と同様に電界強度の測定を１度だけ行い、電界強度の測定データと緯度・経度等の位置情報、測定時刻（日時）のデータ、測定チャンネルの情報、測定に用いた受信アンテナのデータを完全停止状態データ記録手段１８２に記録する。
【００４３】
この処理の後、制御手段１３１は、電界強度測定用の受信アンテナを受信アンテナ１１２（または１１１）に切り替える指示の信号を受信アンテナ切替手段１２１に出力する。受信アンテナ切替手段１２１は、受信アンテナの接続切替を行い、電界強度測定器１２２は、上記の移動受信における測定と同様に電界強度の測定を１度だけ行い、電界強度の測定データと緯度・経度等の位置情報、測定時刻（日時）のデータ、測定チャンネルの情報、測定に用いた受信アンテナのデータを完全停止状態データ記録手段１８２に記録する。
【００４４】
以上説明したように、本発明の第１の実施の形態に係る電界強度測定装置は、車速パルスを計測することによって得られる移動状態に関する情報に基づき、測定系統を搭載した移動測定車の移動状態を分析し、一定時間間隔もしくは一定距離間隔で測定した移動受信データや、歩行速度での移動状態および静止状態における携帯受信データを区別して記録することができる。
【００４５】
【発明の効果】
以上説明したように、本発明は、受信状態についての測定に、静止状態で長時間にわたる測定が含まれる場合でも、静止状態での測定データを別途分析して抽出することを要しない電界強度測定装置を実現することができる。
【図面の簡単な説明】
【図１】本発明の第１の実施の形態に係る電界強度測定装置のブロック構成を示す図である。
【符号の説明】
１００　電界強度測定装置
１１１、１１２　受信アンテナ
１２１　受信アンテナ切替手段
１２２　電界強度測定手段
１２３　Ａ／Ｄ変換手段
１３１　制御手段
１４１　車速パルス検出手段
１４２　速度演算手段
１５１　ＧＰＳ受信機
１５２　時刻データ発生手段
１６１　入力・表示手段
１７０　移動受信データ記録手段
１７１　一定時間間隔データ記録手段
１７２　一定距離間隔データ記録手段
１８０　携帯受信データ記録手段
１８１　歩行速度状態データ記録手段
１８２　完全停止状態データ記録手段
【図１】
2004032163.tif 000003